(57)【要約】【課題】回動部材の強打時に、鍵への反発力を伴わずに、機械的雑音を低減する電子鍵盤楽器の鍵盤装置を提供する。【解決手段】押鍵により質量体８が回動したとき、質量集中部８ｅが上限ストッパ１０に衝突することにより、質量体８の押下保持状態における最大回動位置が規制される。カバー部材１５は、白鍵本体部１が強打されたことに連動して、力伝達部１ｃを介して質量体８が強打されたとき、質量体８が、最大回動位置を過渡的に超えたときに衝突することになる部材の一例である。緩衝部材１６は、カバー部材１５と質量体８の間に介在するように設置される。緩衝部材１６は、複数の粒子２１が筒状の包囲部材２２により全体を包囲されて閉領域に収容されたものである。【選択図】図１
2008145946.tif 000002
【特許請求の範囲】
【請求項１】
並設された複数の回動部材と、該複数の回動部材を支持するフレームと、前記回動部材が回動したときに当該回動部材が衝突することにより当該回動部材の回動保持状態における最大回動位置を規制する動作規制部材と、当該回動部材が強打されることにより、当該回動部材が、前記回動保持状態における最大回動位置を過渡的に超えたとき、当該回動部材が前記動作規制部材以外の電子楽器構成部材に衝突することとなる電子楽器の鍵盤装置において、
前記回動部材と前記電子楽器構成部材との間に介在し、強打された回動部材が前記回動保持状態における最大回動位置を過渡的に超えたときに、当該回動部材が衝突する緩衝部材を有し、
前記緩衝部材は、複数の粒子が包囲部材により部分的に又は全体を包囲された閉領域に収容されて、前記複数の回動部材の配列方向に延在するものである、
ことを特徴とする電子楽器の鍵盤装置。
【請求項２】
前記回動部材は、鍵の打鍵操作に連動して回動する質量体であり、
前記電子楽器構成部材は、当該質量体を回動させる鍵である、
ことを特徴とする請求項１に記載の電子楽器の鍵盤装置。
【発明の詳細な説明】
【技術分野】
【０００１】
本発明は、電子楽器の鍵盤装置に関するものであり、特にその鍵や鍵に連動する質量体が強打されたときの不具合を抑制する緩衝部材に関するものである。
【背景技術】
【０００２】
従来の電子楽器用の鍵盤装置として、押鍵操作に連動して質量体を回動させることにより、アコースティック・ピアノに似た押鍵感触が得られるものがある。
質量体の回動範囲は、鍵盤フレームに配置された上限ストッパにより規制される。
しかし、鍵を強打したときは、上限ストッパが過渡的に大きく圧縮されるため、質量体は、押鍵保持により回動保持されているときの最大回動位置よりもさらに回動して、いわゆるオーバ・ストロークが発生する。
このとき、質量体に最も近接している構造部品、例えば、鍵盤フレーム，電子楽器ケース、鍵等に、質量体が衝突してしまう場合があり、衝突により機械的雑音（メカニカルノイズ）が発生するという問題がある。
【０００３】
図４は、従来の電子楽器の鍵盤装置を模式的に示す説明図である。
鍵盤フレーム及び質量体の具体的構造として、後述する特許文献１の鍵盤装置に用いている構造に類似したものを前提に説明する。
図４（ａ）は離鍵時の状態、図４（ｂ）は押下保持状態を示すものであるが、図４（ｂ）については黒鍵本体部５２側の構造については図示を省略した。
図４（ｃ）は図４（ｂ）の部分拡大図であり、図４（ｄ）は強打時における質量体の回動位置を示す部分拡大図である。
図中、５１は白鍵本体部（回動部材）、５１ａはその先端部、５２は黒鍵本体部（回動部材）、５２ａはその先端部、５３は鍵盤フレームである。
鍵盤フレーム５３は、鍵の配列方向に延在する複数の板状部材が、鍵の配列方向に所定間隔で立設された複数のリブにより結合され一体化されたものである。
【０００４】
５３ａは水平部、５３ｂは鍵支持部である。この鍵支持部５３ｂは、白鍵本体部５１の鍵支点５１ｂ，黒鍵本体部５２の鍵支点５２ｂを支持する。
鍵支持部５３ｂの後部に上限ストッパ保持部５３ｃが設けられ、ここにフェルト素材を用いた上限ストッパ６０が固定される。
５３ｄは後述する質量体５８に対する回動支持部であって、その上端が質量体５８に対する回動軸５３ｅとなっている。水平部５３ａにはスリット５３ｆが設けられ、支持部５８ｃを回動軸５３ｅに押さえつけるバネ５９が通されている。水平部５３ａの後端領域の裏面には、後端ほど高くなる傾斜が付けられているとともに、緩衝部材６２が接着等の方法で設置されている。
【０００５】
回動軸５３ｅの前方斜め下方に前方傾斜部５３ｇがあり、鍵スイッチ基板５４が取り付けられ、ここに鍵スイッチ５５が設置されている。
前方傾斜部５３ｇの前方は垂直に立ち上がり、その上端が前方水平部５３ｈとなり、この上に、先端部５１ａ近傍の下部に挿入される鍵ガイド部５６がある。
５３ｉは鍵盤フレームの後方支持部であり、下限ストッパ６１が設けられている。５３ｊは水平部５３ａ，回動支持部５３ｄ，後方支持部５３ｉを結合するリブである。この他のリブについては符号を省略する。
【０００６】
力伝達部５１ｃは、白鍵本体部５１の下部から突き出したもので、その底板の上部は、鍵の長手方向に抜け、底板の上下面に弾性部材５７（上面の方は見えない）が固着されている。
質量体５８は、複数の白鍵本体部５１，複数の黒鍵本体部５２の各鍵に設けられ、各鍵の下方に鍵の配列方向に配置されている。図示の質量体５８は、白鍵本体部５１に対するものである。
【０００７】
質量体５８は、回動軸５３ｅに係合する回動支点部５８ｃと、弾性部材５７を介して力伝達部５１ｃの底板と係合する、主被駆動部５８ａ及び副被駆動部５８ｂと、慣性モーメントを発生する腕状の慣性モーメント発生部５８ｄと、この後端である自由端部５８ｅと、自由端部５８ｅから上方向に回動支点５８ｃ側に折り曲げられた後の上側折曲延長部５８ｆと、主被駆動部５８ａの下方に突部（アクチュエータ）５８ｇを有するものである。
なお、５２ｃは黒鍵本体部５２の力伝達部であり、力伝達部５１ｃと同様に、回動軸により回動自在に支持された質量体が設けられ、対応する黒鍵の力伝達部により回動される。
【０００８】
図４（ａ）に示すように、離鍵状態において、上側折曲延長部５８ｆは、従来のフェルト等を用いた下限ストッパ６１に当接し、回動動作範囲の初期位置にある。
最初に弱打時の動作を説明する。
演奏者が鍵を押す操作に連動して質量体５８が回動し、慣性モーメント発生部５８ｄの反作用が白鍵本体部５１から演奏者の指に与えられるとともに、突部５８ｇが鍵スイッチ５５を押圧する。
図４（ｂ）、図４（ｃ）に示すように、演奏者が鍵を押し下げて鍵を押下保持した状態において、上側折曲延長部５８ｆは、上限ストッパ６０に当接し、上限ストッパ６０は少しだけ圧縮されて、この上限ストッパ６０により回動動作範囲の最大回動位置が動作規制される。上限ストッパ６０には静荷重が加わる。
演奏者が白鍵本体部５１から指を離して押下解除をすれば、質量体５８は重力の作用により逆回動し、慣性モーメント発生部５８ｄが下限ストッパ６１に衝突することにより、質量体５８が初期位置に復帰するように動作規制される。
【０００９】
これに対し、図４（ｄ）に示す強打時においては、質量体５８の運動エネルギが大きい。そのため、上側折曲延長部５８ｆが上限ストッパ６０に当接した後も、質量体５８の慣性により、上述した鍵を押下保持した状態、すなわち、質量体５８を回動保持した状態における最大回動位置を一時的に超えた回動位置にまで回動する。このとき、上限ストッパ６０は大きく圧縮されている。
その後、鍵を押下保持すれば、図４（ｂ）、図４（ｃ）に示す状態に戻る。
図４（ｄ）に示した、強打時における一時的な回動角度位置と、図４（ｃ）に示した押下保持状態における回動角度位置との差分は、オーバ・ストロークと呼ばれている。
【００１０】
ここで、オーバ・ストロークをなくすには、上限ストッパ６０の素材を硬くして、弾性変形量を小さくすればよい。しかし、そうすると、弾性変形に伴う内部損失が得られなくなるため、質量体５８の運動エネルギを吸収しきれず、鍵を押下保持した状態において、弾性復元力が鍵に対する反発力（リバウンドと呼ばれる）となって、鍵本体部５１から演奏者の指に伝わり、鍵タッチ感が損なわれる。
【００１１】
従って、上限ストッパ６０には、ある程度の弾性変形量が必要となるため、強打するとオーバ・ストロークが生じることになり、質量体５８が最も近接する部品に、質量体５８の一部が衝突することになれば、メカニカルノイズ（機械的雑音）が発生する。
そのため、質量体５８から部品を遠ざけるように設計すればよいが、このような設計は、電子楽器全体を小型化する観点からは現実的でない。
【００１２】
そのため、従来は、質量体に最も近接している電子楽器構成部品にフェルト等の緩衝部材を取り付けている。
図示の例では、水平部５３ａの後端裏面に、緩衝部材６２を取り付け、強打時において、上側折曲延長部５８ｆは、この緩衝部材６２を介して水平部５３ａに衝突するようにしている。
しかし、今度は、緩衝部材６２の感触が、指に伝わって鍵タッチ感を損ねるという問題が生じる。
【００１３】
一方、鍵（白鍵本体部５１、黒鍵本体部５２）を強打したとき、鍵の押下保持状態における最大回動位置よりも、過渡的に回動位置がさらに下がって、上述した質量体５８と同様に、オーバ・ストロークが発生する。
従来の電子楽器の鍵盤装置として、質量体を備えないものもある。この場合、鍵の回動範囲における最大回動位置を規制する下限ストッパを用いる。鍵を強打すれば、同様に、オーバ・ストロークが発生する。
その結果、いずれの場合も、鍵が最も近接する部品に、質量体５８の一部が衝突することになれば機械的雑音が発生する。
【００１４】
ここで、特許文献１においては、ハンマの上限ストッパに並設する形で「質量部ＭＢ」を設けている。この「質量部ＭＢ」は、「質量体２２」を「上側クッション２１」と「下側クッション２３」とで挟んだ構造であり、「質量体２２」として、砂や金属粉を袋状部材で包んで全鍵幅又は複数の鍵幅に亘る長さに形成したものを適用してもよいと記載されている。
上述した「質量部ＭＢ」を使用することにより、押鍵押し切り時におけるハンマ体の跳ね返り、指への衝撃及び衝撃音を抑制しつつ、しっかりとしたストップ感を長期に亘り維持することが記載されている。
【特許文献１】特開２００３−１９５８５３（図４〜図６）
【発明の開示】
【発明が解決しようとする課題】
【００１５】
本発明は、上述した問題点を解決するためになされたもので、上述した緩衝部材の構造として、「質量体２２」の構造を適用することにより、回動部材の強打時に、機械的雑音を低減するとともに、鍵への反発力を伴わないようにした電子鍵盤楽器の鍵盤装置を提供することを目的とするものである。
【課題を解決するための手段】
【００１６】
本発明は、請求項１に記載の発明においては、並設された複数の回動部材と、該複数の回動部材を支持するフレームと、前記回動部材が回動したときに当該回動部材が衝突することにより当該回動部材の回動保持状態における最大回動位置を規制する動作規制部材と、当該回動部材が強打されることにより、当該回動部材が、前記回動保持状態における最大回動位置を過渡的に超えたとき、当該回動部材が前記動作規制部材以外の電子楽器構成部材に衝突することとなる電子楽器の鍵盤装置において、前記回動部材と前記電子楽器構成部材との間に介在し、強打された回動部材が前記回動保持状態における最大回動位置を過渡的に超えたときに、当該回動部材が衝突する緩衝部材を有し、前記緩衝部材は、複数の粒子が包囲部材により部分的に又は全体を包囲された閉領域に収容されて、前記複数の回動部材の配列方向に延在するものである。
従って、回動部材の強打時に、回動部材が動作規制部材以外の電子楽器構成部材に直接的に衝突することがなくなるために、電子楽器構成部材に衝突することによる機械的雑音の発生をなくすことができる。
その代わりとして、回動部材は緩衝部材に衝突する。しかし、この緩衝部材は、従来のフェルト等を用いた弾性による緩衝部材とは異なり、複数の粒子が包囲部材により部分的に又は全体を包囲された閉領域に収容されたものであるために、反発力を伴わず、かつ、発生する機械的雑音が小さい。
【００１７】
請求項２に記載の発明においては、請求項１に記載の電子楽器の鍵盤装置において、前記回動部材は、鍵の打鍵操作に連動して回動する質量体であり、前記電子楽器構成部材は、当該質量体を回動させる鍵である。
従って、質量体が、この質量体に近接している、この質量体を回動させる鍵に対し、直接的に衝突することが防止される。
【発明の効果】
【００１８】
本発明によれば、回動部材の強打時、具体的には、鍵の強打時、又は、鍵を介して鍵と連動して動作する質量体の強打時に、鍵又は質量体が動作規制部材以外の電子楽器構成部材に直接的に衝突することがなく、複数の粒子が包囲部材により部分的に又は全体を包囲された閉領域に収容された緩衝部材に衝突することから、反発力を伴わないで機械的雑音を低減できるという効果がある。
【発明を実施するための最良の形態】
【００１９】
図１は、本願発明の第１の実施形態を模式的に示す説明図である。
図１（ａ），図１（ｂ）は、電子楽器の鍵盤装置を模式的に説明する右側面図であり、図１（ａ）は離鍵時におけるもの、図１（ｂ）は押下保持状態におけるものである。
図１（ｃ），図１（ｄ）は、緩衝部材１６を模式的に示す部分拡大図であり、図１（ｃ）は離鍵時におけるもの、図１（ｄ）は強打時におけるものである。
図中、１は白鍵本体部（回動部材）、２は黒鍵本体部（回動部材）である。３は鍵盤フレームであり、鍵の長手方向の前後部に段差部があり、これらの間が水平部３ａとなっている。水平部３ａの後部分に鍵支持部３ｂがあり、水平部３ａの裏面前方に質量体支持部３ｃがある。
白鍵本体部１，黒鍵本体部２の後端部に鍵支点部１ｂ，２ｂがあり、鍵支持部３ｂに取り付けられ、白鍵本体部１，黒鍵本体部２を回動可能にしている。
【００２０】
鍵盤フレーム３の段差部の前後は、鍵盤フレーム底板１２への前方取付部３ｄ，後方取付部３ｅとなる。取付部３ｄの前面は垂直壁３ｆとなる。鍵盤フレーム底板１２は鍵盤フレーム側の固定部材、例えば、電子楽器の下ケース（棚板）であってもよい。
垂直壁３ｆには、白鍵本体部１に対する鍵ガイド５がある。鍵ガイド５は白鍵本体部の先端部１ａ近傍の下部に挿入される。一方、水平部３ａの前部分に立設された鍵ガイド６は、黒鍵本体部２に対するものである。
水平部３ａ上に、鍵スイッチ４が設置され、これに対向して、白鍵本体部１、黒鍵本体部２の上面裏側に図示しない突部（アクチュエータ）がある。
【００２１】
白鍵本体部１の下部から力伝達部１ｃが突き出し、水平部３ａに設けられた孔３ｇを貫通している。力伝達部１ｃの先端に底板を有し、この底板の上部は、鍵の長手方向に抜けている。この底板の上下面に弾性部材７（上面の方は見えない）が固着されている。
質量体８は、複数の白鍵本体部１，黒鍵本体部２のそれぞれに設けられ、各鍵の下方に鍵の配列方向に配置されている。図示の質量体８は、白鍵本体部１に対するもので、質量体支持部８ｃにより回動自在に支持され、対応する鍵の力伝達部８ｃを介して回動される。
【００２２】
質量体８は、質量体支持部３ｃに支持される回動支点部８ｃと、鍵の力伝達部１ｃに係合する、主被駆動部８ａ及び副被駆動部８ｂと、慣性モーメントを発生する腕状の慣性モーメント発生部８ｄを有する。慣性モーメント発生部８ｄの後端は、質量集中部８ｅとなる。水平部３ａの後方の垂直壁には、慣性モーメント発生部８ｄを通すためのスリット３ｈが設けられている。
【００２３】
主被駆動部８ａ及び副被駆動部８ｂは、力伝達部１ｃの底板を弾性部材７を介して挟み込むようにして力伝達部１ｃと係合している。
演奏者が鍵を押す操作に連動して質量体８が回動すると、慣性モーメント発生部８ｄの反作用が白鍵本体部１から演奏者の指に与えられる。
黒鍵本体部２の力伝達部は、図示を省略したが、力伝達部１ｃとは鍵の配列方向に重なる位置にあり、同様に、質量体支持部により回動自在に支持された質量体が設けられ、対応する黒鍵の力伝達部により回動される。
【００２４】
９は従来のフェルト素材を用いた下限ストッパであって、水平部３ａの前方に取り付けられており、押鍵されたとき、白鍵本体部１の左右側面部又は黒鍵本体部２の左右側面の下端が、この下限ストッパ９の上面に衝突することにより、各鍵の最大回動位置を規制する動作規制部材である。上述した最大回動位置とは、押下保持状態における鍵の最大回動位置である。
１０は従来のフェルト素材を用いた上限ストッパであって、水平部３ａの裏面後方に取り付けられており、押鍵により質量体８が回動したとき、質量集中部８ｅが、上限ストッパ１０に衝突することにより、質量体８の最大回動位置が規制される。この最大回動位置は、押下保持状態における質量体の最大回動位置である。
１１は、従来のフェルト素材を用いた下限ストッパであって、後方取付部３ｄ上に帯状に取り付けられており、白鍵本体部１が離鍵されたことに連動して質量体８が復帰するとき、質量集中部８ｅが衝突し、質量体８が初期位置になるように動作規制する。
【００２５】
１３は電子楽器の上ケースであり、コントロールパネルとなる場合がある。この上ケース１３は、鍵の配列方向に延在して電子楽器の上部を覆い、その裏面に回路基板１４等が取り付けられる。
１５は上ケース１３，回路基板１４等をカバーするカバー部材であり、鍵の配列方向に延在している。１５ａは回路基板１４との締結部であって、最上段の位置にあり、ここから一段下がってカバー部材水平部１５ｂとなり、さらに後方に一段下がって鍵盤フレーム底板１２への取付部となる。
１６は緩衝部材であって、カバー部材水平部１５ｂの裏面に取り付けられている。
【００２６】
ここで、上述したカバー部材１５は、白鍵本体部１が強打されたことに連動して、上述した力伝達部１ｃを介して質量体８が強打されたときに、質量体８が、押下（回動）保持状態における最大回動位置を過渡的に超えたときに、質量体８が上限ストッパ１０以外に衝突することになる電子楽器構成部材の一例である。
結果として、カバー部材水平部１５ｂは、緩衝部材１６が取り付けられていないとしたときに、押下保持状態（回動保持状態）における最大回動位置を過渡的に超えたときに、質量体８と最も近接しているために衝突を受けることになる部品であるということができる。
【００２７】
緩衝部材１６は、質量体８が最大回動位置に達した後に最も近接して衝突を受ける電子楽器構成部材と質量体８の間に介在するように設置され、質量体８と構成部材との機械的干渉を防止するように設置されればよい。従って、必ずしも、衝突を受ける電子楽器構成部材自体に取り付ける必要はない。
ただし、緩衝部材１６自体の大きさを無視できないから、より厳密にいえば、緩衝部材１６の形状、寸法も考慮して、その取付位置を決める必要がある。
【００２８】
図１（ｂ）に示す押下保持状態は、演奏者が白鍵本体部１を弱打して、押し下げのままでいる操作をしているときの状態を示すものである。ここで、弱打とは、鍵の押下により質量体８が上限ストッパ１０に当接する程度の静的な押下力を加えた場合を意味する。ただし、スタッカート奏法の場合は、押下保持時間が限りなく０に近くなる。
【００２９】
鍵を押す操作に連動して、慣性モーメント発生部８ｄは、回動支点部８ｃを中心に回動し、慣性モーメント発生部８ｄが、上限ストッパ１０に衝突することにより、質量体８の最大回動位置が規制される。上限ストッパ１０は、図１（ａ）のときよりも弾性変形して圧縮される。
この状態では、質量体８のどの部分も上限ストッパ１０以外には衝突していない。
図１（ｃ）に示すように、質量集中部８ｅは、緩衝部材１６に接近しているが、これにはまだ当接していない。
【００３０】
これに対し、図１（ｄ）に示すように、演奏者が白鍵本体部１を強打したときには、質量体８の慣性モーメントにより、図１（ｃ）に示したように、慣性モーメント発生部８ｄの上面が、上限ストッパ１０の下面に衝突して上限ストッパ１０を強く圧縮するだけでなく、先に述べた質量体８の最大回動位置を超えて、過渡的にさらに回動を続け、質量集中部８ｅの上端が、緩衝部材１６に衝突して動作規制される。
運動エネルギが消耗した後は、上限ストッパ１０の弾性復元力により、図１（ｂ），図１（ｃ）に示した押下保持状態に逆戻りして、オーバ・ストロークが解消される。緩衝部材１６に元の形状に戻ろうとする原状復帰力がある場合は、この原状復帰力も押下保持状態に戻ることに寄与する。
【００３１】
質量集中部８ｅがカバー部材水平部１５ａに衝突した（部品同士の干渉）場合は、カバー部材１５が一般に金属板あるいは硬質のプラスチック成型品であるため、大きな機械雑音が発生する。これに対し、質量集中部８ｅは、緩衝部材１６に衝突するようにする。
緩衝部材１６は、従来のフェルト等を用いたものでも衝突時に機械的雑音が生じにくいのであるが、この実施の形態の動作規制部材では、同様に機械的雑音が生じにくいだけでなく、弾性反発力のない緩衝特性が得られる。
【００３２】
図１（ｄ）を参照し、緩衝部材１６の内部構造について説明する。
緩衝部材１６は、複数の粒子２１が筒状の包囲部材２２により全体を包囲されて閉領域に収容されたものである。
緩衝部材１６は、筒状の包囲部材２２の一面が接着、融着等により、カバー部材水平部１５ｂの裏面に取り付けられ、複数の鍵の配列方向に延在している。
粒子２１は、固体物であり、球体として図示している。外形寸法は、球体の場合で３mmφ以下が望ましい。先行技術として説明した特許文献１に記載のように、砂や金属粉であってよいが、その他、セラミック球、金属球、プラスチック球などであってもよい。しかし、球体には限られない。
【００３３】
包囲部材２２は、複数の粒子２１の動作を包括的に拘束するものであって、薄くて柔軟性のある素材（薄皮状の素材ということもできる）で形成されている。衝突を受けたときの運動エネルギが、複数の粒子２１に伝わることを阻害せず、粒子２１の摺動や衝突を妨げることなく、複数の粒子２１を閉領域に収容できるものがよい。包囲部材２２の柔軟性を調節することにより、演奏者の所望する感触が得られるようにする。
より具体的には、包囲部材２２は、弾性を有する素材であり、内部、外部から受ける力に応じて包囲部材の表面積が伸縮するものがよい。しかし、包囲部材は、伸縮しなくても布のように、自由に曲がったり弛んだりするものでもよい。
【００３４】
上述した包囲部材２２として、網目（メッシュ）状の包囲部材、例えば、織布（クロス）、編み物（ニット）、不織布を用いることができる。
包囲部材２２として、プラスチック、天然ゴム、合成ゴムなどの薄膜（フィルム）４４を用いてもよい。これらが発泡体である場合もある。薄膜に、複数の通気孔があるとよい。
包囲部材２２に通気性があれば、質量集中部８ｅが緩衝部材１６に衝突したとき、包囲部材２２の内部の空気圧による反発力が発生しない。
【００３５】
筒状の包囲部材２２としては、袋織りされた織物、丸編みされた編み物、筒状に射出成形された薄膜がある。
しかし、包囲部材２２は、筒状である必要はなく、縦長の素材の左右が側縁部となるように折り曲げて、この側縁部の端部を接着、融着等により基材である支持部材水平部１４ｂに封着することにより、粒子２１が散逸しないようにしてもよい。
この場合、複数の粒子２１は、包囲部材２２によっては部分的に包囲され、包囲部材２２と支持部材水平部１４ｂとによっては全体を包囲された閉領域に収容されることになる。基材である支持部材水平部１４ｂが通気性を有する基材であってもよい。
【００３６】
質量集中部８ｅが、包囲部材２２に衝突したとき、その運動エネルギは、包囲部材２２を介して、複数の粒子２１に伝達される。粒子２１同士が連鎖的に衝突したり、摺動したりして任意の方向に移動する際に、運動エネルギが熱エネルギに変換されて消失する。
従って、弾性エネルギが蓄積されないから、質量体８に対する反発力が発生しない。その結果、不快なタッチ感を排除することができる。
質量集中部８ｅの上端が、包囲部材２２を介して直接的に複数の粒子２１に衝突するため、複数の粒子２１の移動による運動エネルギ消失の効果が高い。
【００３７】
本明細書において、包囲部材２２により複数の粒子２１が包囲（部分包囲又は全部包囲）された構造を、以下、簡単に、「パーティクル・バッグ」と呼ぶ場合がある。
上述した緩衝部材１６においては、パーティクル・バッグに収容された複数の粒子２１が重力を受けて下方へ集まるから、包囲部材２２の下面の位置が自律的に定まるから、緩衝開始位置が定まりやすい。
質量集中部８ｅが緩衝部材１６に過渡的に衝突すると、粒子２１は上方に分散するが、質量集中部８ｅが緩衝部材１６から離れれば、粒子２１は下方へと引き戻され、図１（ｃ）に示す押下保持状態になる。
その際、パーティクル・バッグの上部に、空きスペースができるように、パーティクル・バッグに収容される粒子２１の収容密度を小さくしておけば、粒子２１が上方に分散しやすくなる。
【００３８】
上述した説明では、白鍵本体部１を押鍵した場合を例に説明したが、黒鍵本体部２を弱打及び強打した場合も同様である。
複数の鍵の配列方向において、カバー部材１５のような電子楽器構成部品は、一様に存在するのではなく、部分的に設けられている場合もある。このような場合、緩衝部材１６は、この緩衝部材１６がなければ、質量体８が過渡的に衝突するおそれがある部分にのみ設ければ十分である。
【００３９】
なお、包囲部材２２は、鍵の配列方向の全鍵幅に亘って延在し、その両端部は、包囲部材２２と同じ素材を当てることにより封止したり、別の部材を用いて封止したりして、両端部から粒子２１が外に出ないようにする。
後述する他の包囲部材についても、同様に、鍵の配列方向の両端部を封止する。
【００４０】
図２は、本願発明の第２の実施形態を模式的に示す説明図である。
この実施の形態は、図４に示した従来の構成において、緩衝部材６２として用いていたフェルトの代わりに、パーティクル・バッグを使用可能にしたものであって、上限ストッパ３５及び緩衝部材２２が存在する部分を拡大した図である。
図中、図１と同様な部分には同じ符号を付している。
３１ｂは白鍵本体部の鍵支点、３２ｂは黒鍵本体部の鍵支点、３３ａは鍵盤フレームの水平部、３３ｂは鍵盤フレームの鍵支持部、３３ｃは鍵盤フレームの上限ストッパ保持部、３３ｊは鍵盤フレームのリブ、３５は上限ストッパであって、それぞれ、図４の５１ｂ、５２ｂ、５３ａ、５３ｂ、５３ｃ、５３ｊ、６０に対応する。
３４ｄは質量体の慣性モーメント発生部、３４ｅは質量体の自由端、３４ｆは上側折曲延長部である。しかし、図４に示した慣性モーメント発生部５８ｄ、自由端５８ｅ、５８ｆ、上側折曲延長部５８ｆに比べて、上側折曲延長部３４ｆの長さが短縮されている。
【００４１】
図４においては、鍵を強打したとき、過渡的に発生するオーバ・ストロークによって、質量体の上側折曲延長部５８ｆが、鍵盤フレーム水平部５３ａの後端裏面に衝突するのを避けるためにフェルト等の緩衝部材６２を使用していた。
一方、図２においては、緩衝部材１６としては、フェルトに代えて、パーティクル・バッグを用いている。
【００４２】
その際、緩衝部材１６の厚みが厚い場合に、図４においては、押鍵保持状態における上側折曲延長部５８ｆと水平部５３ａの後端裏面との間に、緩衝部材１６を介在させることが難しい。
そこで、図２においては、上側折曲延長部３４ｆの長さを短縮して、水平部３３ａの後端部裏面の傾斜面に、緩衝部材１６を取り付けることにより、質量体のオーバ・ストロークに対して、上側折曲延長部３４ｆは水平部３３ａの後端部裏面の傾斜面に衝突しなくなる。
この上側折曲延長部３４ｆの長さをさらに短縮すると、慣性モーメントが小さくなってしまうため、鍵盤フレームの緩衝部材１６が取り付けできるように、最小限度で短縮されている。その結果、図示の構成において緩衝部材１６が除去されると、強打時において、上側折曲延長部３４ｆが水平部３３ａに衝突する。
【００４３】
図３は、本願発明の第３の実施形態を模式的に示す説明図である。
図中、図１と同様な部分には同じ符号を付している。
この実施の形態は、図１に示した第１の実施形態と類似の前提構成において、鍵が強打されたことに連動して、力伝達部４１ｃにより質量体８が強打され、質量体８が押下保持状態を超えて回動したときにおいて、質量集中部８ｅが強打された鍵（図示の例では、白鍵本体部４１）に衝突する場合を前提としたものである。
パーティクル・バッグを使用した緩衝部材４７は、質量集中部８ｅと白鍵本体部４１の後方領域との間に配置している。
並設されたすべての白鍵本体部１及び黒鍵本体部２と、それぞれに対応する質量体８との間で、上述した衝突が生じるために、緩衝部材４７は、鍵の配列方向に延在している。
【００４４】
図３（ａ），図３（ｂ）は、電子楽器の鍵盤装置を模式的に説明する右側面図であり、図３（ａ）は離鍵時におけるもの、図３（ｂ）は押下保持状態におけるものである。
図中、４１は白鍵本体部（回動部材）、４２は黒鍵本体部（回動部材）である。４３は鍵盤フレームであり、鍵の長手方向の前後部に複数の段差部があり、上段に、第１の水平部４３ａと第２の水平部４３ｉがある。第２の水平部４３ｉに鍵支持部４３ｂがあり、第１の水平部４３ａの裏面前方に質量体支持部４３ｃがある。
白鍵本体部４１，黒鍵本体部４２の後端部に鍵支点部４１ｂ，４２ｂがあり、鍵支持部４３ｂに取り付けられ、白鍵本体部４１，黒鍵本体部４２を回動可能にしている。
【００４５】
鍵盤フレーム４３の下段は、鍵盤フレーム底板４４への前方取付部４３ｄ，中間取付部４３ｅ、後方取付部４３ｊとなる。前方取付部４３ｄの前面は垂直壁４３ｆとなる。鍵盤フレーム底板４４は鍵盤フレーム側の固定部材、例えば、電子楽器の下ケース（棚板）であってもよい。
第１の水平部３ａ上に、鍵スイッチ４が設置され、これに対向して、白鍵本体部４１、黒鍵本体部４２の上面裏側に図示しない突部（アクチュエータ）がある。
【００４６】
白鍵本体部４１の下部から力伝達部４１ｃが突き出し、第１の水平部４３ａに設けられた孔４３ｇを貫通している。力伝達部４１ｃの先端に底板を有し、この底板の上部は、鍵の長手方向に抜けている。この底板の上下面に弾性部材７が固着されている。
質量体８は、図１に示した質量体と同一のものであるから説明を省略する。第１の水平部４３ａの後方の垂直壁には、慣性モーメント発生部８ｄを通すためのスリット４３ｈが設けられている。
黒鍵本体部４２の力伝達部は、力伝達部４１ｃと鍵の配列方向に重なる位置にあり、同様に、質量体支持部により回動自在に支持された質量体が設けられ、対応する黒鍵の力伝達部により回動される。
【００４７】
緩衝部材４７は、第１の水平部４３ａと第２の水平部４３ｉとの間に取り付けられている。この配置は、質量体８（図示の例では、その質量集中部８ｅ）と電子楽器構成部材である鍵との間に介在して、間接的に強打された質量体８が回動保持状態における最大回動位置を過渡的に超えたときに、質量体８（質量集中部８ｅ）の衝突を受ける配置である。
図示の緩衝部材４７は、上部包囲部材４７ａと下部包囲部材４７ｂからなり、図示左右端部においては密着結合されている。
【００４８】
上部包囲部材４７ａは、水平に張られているが、下部包囲部材４７ｂは中央が垂れている。いずれも、図示と同じ断面形状で鍵の配列方向に延在している。複数の粒子２１が上部包囲部材４７ａと下部包囲部材４７ｂにより全体を包囲された閉領域に収容されている。
上部包囲部材４７ａと下部包囲部材４７ｂの素材は、図１を参照して説明した包囲部材２２と同様の素材を用いればよい。あるいは、質量集中部８ｅが衝突しない上部包囲部材４７ａを基材として、基材を硬質の素材としてもよい。
【００４９】
図３（ｂ）に示す押下保持状態は、演奏者が白鍵本体部４１を弱打して、押し下げのままでいる操作をしているときの状態を示すものである。
このとき、鍵を押す操作に連動して、慣性モーメント発生部８ｄが、上限ストッパ１０に衝突することにより、質量体８の最大回動位置が規制される。この状態では、質量体８のどの部分も上限ストッパ１０を除いて衝突していない。質量集中部８ｅは、緩衝部材１４７に接近しているがまだ当接していない。
【００５０】
一方、演奏者が白鍵本体部１を強打したときは、慣性モーメント発生部８ｄが上限ストッパ１０に衝突し、これを強く圧縮するだけでなく、質量体８の回動範囲のうち、最大回動位置を超えて、過渡的にさらに回動を続け、質量集中部８ｅが緩衝部材４７の下部包囲部材４８ｂに衝突して動作規制される。
運動エネルギが消耗した後は、上限ストッパ１０の弾性復元力、及び、緩衝部材４７の原状復帰力により、図３（ｂ）に示した押下保持状態に逆戻りして、オーバ・ストロークが解消される。
緩衝部材４７が白鍵本体部４１に代わって質量集中部８ｅの衝突を受けるため、衝突時に機械雑音が生じにくく、かつ、フェルトを用いた緩衝部材に比べて、反発力のない緩衝特性が得られる。
【００５１】
上述した説明では、質量体８の回動範囲における初期位置及び、鍵の押下による回動方向、最大回動位置等は、典型例について説明したが、図示の例に限らない。
上限ストッパ及び下限ストッパの設置位置も、典型的な位置を例示して説明したが、鍵や鍵に連動する質量体に対する動作規制機能を果たすものであれば、図示の位置以外に設けてもよい。
上限ストッパ及び下限ストッパを鍵盤フレームそのものに配置する必要はなく、鍵盤フレーム側の任意の固定部材に配置されていてもよい。
緩衝部材を配置する場所は、上述した鍵や質量体の回動の態様、押鍵時の最大回動範囲を規定するストッパ部材の配置、他の電子楽器構成部品の配置等に応じて変化する。
【００５２】
上述した説明は、鍵が強打されたときに、質量体８のオーバ・ストロークと、その緩衝部材に関するものであったが、鍵が強打されたときに、鍵自体のオーバ・ストロークに対する緩衝部材を設けてもよい。
例えば、図４に示した従来構成において、強打時に、白鍵本体部の先端部１ａの下部構造が、鍵ガイド５が設けられている前方水平部５３ｈに衝突するとすれば、この前方水平部５３ｈに緩衝部材１６と同様な緩衝部材を設置すればよい。
【図面の簡単な説明】
【００５３】
【図１】本願発明の第１の実施形態を模式的に示す説明図である。
【図２】本願発明の第２の実施形態を模式的に示す説明図である。
【図３】本願発明の第３の実施形態を模式的に示す説明図である。
【図４】従来の電子楽器の鍵盤装置を模式的に示す説明図である。
【符号の説明】
【００５４】
１，４１…白鍵本体部（回動部材）、１ｂ，４１ｂ…鍵支点部、２，４２…黒鍵本体部（回動部材）、２ｂ，４２ｂ…鍵支点部、３，４３…鍵盤フレーム（フレーム）、３ａ，４３ａ…水平部、３ｂ，４３ｂ…鍵支持部、３ｃ，４３ｃ…質量体支持部、３ｇ，４３ｇ…孔、４…鍵スイッチ、５…鍵ガイド（白鍵用）、６…鍵ガイド（黒鍵用）、７…弾性部材、８…質量体、８ｃ…回動支点部、８ｅ…質量集中部、９…下限ストッパ（鍵に対する動作規制部材）、１０，３５…上限ストッパ（質量体に対する動作規制部材）、１１…下限ストッパ（質量体に対する動作規制部材）、１２，４４…鍵盤フレーム底板、１３…上ケース、１４…回路基板、１５…カバー部材（動作規制部材以外の電子楽器構成部材）、１５ａ…締結部、１５ｂ…カバー部材水平部、１５ｃ…取付部、１６，４７…緩衝部材、２１…粒子、２２，４８…包囲部材、４８ａ…上部包囲部材、４８ｂ…下部包囲部材
【００５５】
３１ｂ…白鍵本体部の鍵支点部、３２ｂ…黒鍵本体部の鍵支点部、３３ａ…鍵盤フレームの水平部、３３ｂ…鍵盤フレームの鍵支持部、３３ｊ…鍵盤フレームのリブ、３４ｄ…質量体の慣性モーメント発生部、３４ｅ…質量体の自由端部、３４ｆ…質量体の上側折曲延長部
【図１】
2008145946.tif 000003
【図２】
2008145946.tif 000004
【図３】
2008145946.tif 000005
【図４】
2008145946.tif 000006